(57)【要約】【課題】  組立及び分解の両方の作業を止めビスを用いずに容易かつ迅速に行うことのできるリモートコントローラケースを提供する。【解決手段】  トップケース３とボトムケース４とを合わせたケース本体２と、電池ボックス６と、電池蓋５とを有する。トップケース３に設けた連結杆７の鍔形頭部７１を、ボトムケース４の孔部４２に対し嵌脱可能とする。孔部４２に嵌挿した連結杆７の鍔形頭部７１とボトムケース４との間にスペーサ８を介在し、そのスペーサ８を電池蓋５に連結する。トップケース３及びボトムケース４の端部同士を位置決めしてそれらの合わせ状態を離脱可能に保持する係脱機構９を設ける。スペーサ８に鍔形頭部７１の通過を許す幅広開口８２が備わっている。【選択図】        図２
2007129393.tif 000002
【特許請求の範囲】
【請求項１】
トップケースとボトムケースとを合わせることによって形成されるケース本体と、このケース本体の内部に区画形成された電池ボックスと、上記ボトムケースに形成された電池出入口に対する開閉方向にスライド自在に上記ボトムケースに装着される電池蓋とを有し、
上記トップケースに設けられて上記ボトムケースに具備された孔部に対して相対的に嵌脱可能な鍔形頭部を有する連結杆と、ボトムケースの上記孔部に嵌挿された上記連結杆の鍔形頭部とボトムケースとの間に介在されてボトムケースとトップケースとの合わせ状態を保持するスペーサと、上記トップケース及び上記ボトムケースの端部同士を位置決めしてそれらの合わせ状態を離脱可能に保持する係脱機構とを追加してあり、
上記スペーサが上記電池蓋に連結されてその電池蓋に追従して前後方向スライド自在に構成され、その連結箇所に、上記電池出入口に対して電池蓋を開閉揺動させるためのヒンジ部が形成されていると共に、上記スペーサに、上記電池蓋が上記電池出入口に対する開方向にスライドされたときに上記連結杆の鍔形頭部に臨んでその鍔形頭部の通過を許す開口が具備され、
上記係脱機構が、トップケース側に設けられた係止爪部と、ボトムケース側に設けられて上記係止爪部が係脱可能な被係止部とでなり、
スペーサ及びボトムケースのうちの一方側に設けられた凸部と、それらのうちの他方側に設けられて上記凸部が落ち込むことによりクリック感を生じさせる凹部とでなる感触機構を有し、その感触機構は、上記電池蓋が上記電池出入口を閉じる位置にスライドされたとき、及び、上記スペーサの開口が上記連結杆の鍔形頭部に臨んだときに作動するように構成され、上記ボトムケースに、上記連結杆の鍔形頭部と上記スペーサとを覆って外部から見えなくし、かつ、オペレータがそれらの鍔形頭部とスペーサとに触れることを防ぐカバー部が備わっていることを特徴とするリモートコントローラケース。
【請求項２】
トップケースとボトムケースとを合わせることによって形成されるケース本体と、このケース本体の内部に区画形成された電池ボックスと、上記ボトムケースに形成された電池出入口に対する開閉方向にスライド自在に上記ボトムケースに装着される電池蓋とを有し、
上記トップケースに設けられて上記ボトムケースに具備された孔部に対して相対的に嵌脱可能な鍔形頭部を有する連結杆と、ボトムケースの上記孔部に嵌挿された上記連結杆の鍔形頭部とボトムケースとの間に介在されてボトムケースとトップケースとの合わせ状態を保持するスペーサと、上記トップケース及び上記ボトムケースの端部同士を位置決めしてそれらの合わせ状態を離脱可能に保持する係脱機構とを追加してあり、
上記スペーサが上記電池蓋に連結されてその電池蓋に追従して前後方向スライド自在に構成され、そのスペーサに、上記電池蓋が上記電池出入口に対する開方向にスライドされたときに上記連結杆の鍔形頭部に臨んでその鍔形頭部の通過を許す開口を具備させてあることを特徴とするリモートコントローラケース。
【請求項３】
上記係脱機構が、トップケース及びボトムケースのうちの一方側に設けられた係止爪部と、それらのうちの他方側に設けられて上記係止爪部が係脱可能な被係止部とを有する請求項２に記載したリモートコントローラケース。
【請求項４】
スペーサ及びボトムケースのうちの一方側に設けられた凸部と、それらのうちの他方側に設けられて上記凸部が落ち込むことによりクリック感を生じさせる凹部とでなる感触機構を備え、その感触機構は、上記電池蓋が上記電池出入口を閉じる位置にスライドされたとき、及び、上記スペーサの開口が上記連結杆の鍔形頭部に臨んだときに作動するように構成されている請求項２又は請求項３に記載したリモートコントローラケース。
【請求項５】
上記スペーサと上記電池蓋との連結箇所に、上記電池出入口に対して電池蓋を開閉揺動させるためのヒンジ部が形成されている請求項２ないし請求項４のいずれか１項に記載したリモートコントローラケース。
【請求項６】
ボトムケースに、上記連結杆の鍔形頭部と上記スペーサとを覆って外部から見えなくするカバー部が備わっている請求項２ないし請求項５のいずれか１項に記載したリモートコントローラケース。
【発明の詳細な説明】
【技術分野】
【０００１】
本発明は、ＤＶＤドライブやテレビジョン受像機などのＡＶ機器を遠隔制御することに用いられるリモートコントローラの筐体を形成しているリモートコントローラケース、特に、トップケースとボトムケースと電池蓋とを備えるリモートコントローラケースに関する。
【背景技術】
【０００２】
この種のリモートコントローラケースにおいて、部品点数を削減したり電池蓋の紛失を防ぐために電池蓋をボトムケースと一体化するという技術が従来より提案されている（たとえば、特許文献１、特許文献２参照）。また、電池ケース蓋に関して、その蓋体の支持軸部の破損を防ぐための研究も行われている（たとえば、特許文献３参照）。
【０００３】
一方、従来では、トップケースとボトムケースと電池蓋とを備えるリモートコントローラケースにおけるトップケースとボトムケースとを合わせ状態に保つための手段として、複数箇所でのビス止め構造を採用したり、孔部に対してフックを離脱しにくいように係合させるという係合構造を採用したりすることが多かった。また、電池蓋は、ボトムケースに着脱可能になっていて、電池ボックスを閉じるときには、その電池蓋をスライドさせてボトムケースの電池出入口に装着するという構成を採用していた。
【特許文献１】特開平１１−９８５８３号公報
【特許文献２】特開平８−１６２７７４号公報
【特許文献３】特開平９−１８０６９１号公報
【発明の開示】
【発明が解決しようとする課題】
【０００４】
しかしながら、リモートコントローラケースのトップケースとボトムケースとの合わせ状態を保つための手段として、ビス止め構造を採用すると、組立又は分解に際して止めビスを複数箇所でねじ込んだり緩めたりする作業を行うことを余儀なくされるためにそれだけ量産性が損なわれたり、止めビスが余分に必要になったりするという問題があった。また、上記手段として、複数箇所で孔部に対してフックを離脱しにくいように係合させるという係合構造を採用すると、組立に際してはフックを孔部に係合させるだけで済むという利点がある反面、フックを孔部から外すときにフックが損傷しやすいために分解することに困難を伴うという問題があった。
【０００５】
本発明は、以上の問題に鑑みてなされたものであり、上記したビス止め構造や係合構造を採用することに代え、組立及び分解の両方の作業を止めビスを用いずに容易かつ迅速に行うことができるようにすることによって、リモートコントローラの量産性を高めることのできるリモートコントローラケースを提供することを目的とする。
【課題を解決するための手段】
【０００６】
本発明に係るリモートコントローラケースは、トップケースとボトムケースとを合わせることによって形成されるケース本体と、このケース本体の内部に区画形成された電池ボックスと、上記ボトムケースに形成された電池出入口に対する開閉方向にスライド自在に上記ボトムケースに装着される電池蓋とを有している。そして、この発明では、上記トップケースに設けられて上記ボトムケースに具備された孔部に対して相対的に嵌脱可能な鍔形頭部を有する連結杆と、ボトムケースの上記孔部に嵌挿された上記連結杆の鍔形頭部とボトムケースとの間に介在されてボトムケースとトップケースとの合わせ状態を保持するスペーサと、上記トップケース及び上記ボトムケースの端部同士を位置決めしてそれらの合わせ状態を離脱可能に保持する係脱機構とを追加してあり、上記スペーサが上記電池蓋に連結されてその電池蓋に追従して前後方向スライド自在に構成され、そのスペーサに、上記電池蓋が上記電池出入口に対する開方向にスライドされたときに上記連結杆の鍔形頭部に臨んでその鍔形頭部の通過を許す開口を具備させてある。
【０００７】
この構成であると、ボトムケースとそのボトムケースの孔部に嵌合されたトップケース側の連結杆の鍔形頭部との間にスペーサを介在させることによってボトムケースとトップケースとの合わせ状態を保持させ、かつ、係脱機構によりトップケース及びボトムケースの端部同士を位置決めしてそれらの合わせ状態を離脱可能に保持させることによってリモートコンローラケースが組み立てられる。また、スペーサをボトムケースと上記鍔形頭部との間から抜き出し、かつ、係脱機構によるトップケース及びボトムケースの端部同士の合わせ状態を解除することによってリモートコンローラケースがトップケースとボトムケースとに分解される。したがって、リモートコンローラケースの組立及び分解を冒頭で説明したビス決め構造や係合構造を採用することなく行うことができるようになる。
【０００８】
また、スペーサをボトムケースと上記鍔形頭部との間に対して出入れする操作は、電池蓋を開閉方向でスライドさせることによって行われるので、分解や組立に特別の治具を用いる必要がない。
【０００９】
さらに、鍔形頭部を有する連結杆がトップケースに具備されてトップケースと一体に取り扱われ、スペーサが電池蓋に連結されてスペーサと一体に取り扱われるので、トップケースとボトムケースと電池蓋とでなるリモートコンローラケースの部品点数を増やす必要もない。
【００１０】
本発明では、上記係脱機構が、トップケース及びボトムケースのうちの一方側に設けられた係止爪部と、それらのうちの他方側に設けられて上記係止爪部が係脱可能な被係止部とを有する、という構成を採用することが望ましく、これによれば、係脱機構を設けても部品点数が増加することはない。
【００１１】
さらに、本発明では、スペーサ及びボトムケースのうちの一方側に設けられた凸部と、それらのうちの他方側に設けられて上記凸部が落ち込むことによりクリック感を生じさせる凹部とでなる感触機構を備え、その感触機構は、上記電池蓋が上記電池出入口を閉じる位置にスライドされたとき、及び、上記スペーサの開口が上記連結杆の鍔形頭部に臨んだときに作動するように構成されていることが望ましい。これによれば、電池蓋を電池出入口を閉じる位置にスライドさせたときにクリック感が得られ、スペーサの開口を鍔形頭部に臨ませて分解作業を行うときにもクリック感が得られるために、電池交換作業や分解作業を行いやすくなる。
【００１２】
本発明では、上記スペーサと上記電池蓋との連結箇所に、上記電池出入口に対して電池蓋を開閉揺動させるためのヒンジ部が形成されていることが望ましい。これによれば、電池蓋を開方向スライドさせることによって電池交換を行うことができるだけでなく、ヒンジ部を中心にして電池蓋を開揺動させることによっても電池交換を行うことができるようになる利便がある。
【００１３】
本発明では、ボトムケースに、上記連結杆の鍔形頭部と上記スペーサとを覆って外部から見えなくするカバー部が備わっていることが望ましい。これによれば、連結杆の鍔形頭部やスペーサが目に見えて見苦しくなるということがなくなるほか、カバー部を利用することによって当該リモートコンローラケースを掴んだ手が連結杆の鍔形頭部やスペーサに触れて電池交換作業や分解作業の作業性が損なわれるという事態を起こらなくすることが可能になる。
【００１４】
本発明は、トップケースとボトムケースとを合わせることによって形成されるケース本体と、このケース本体の内部に区画形成された電池ボックスと、上記ボトムケースに形成された電池出入口に対する開閉方向にスライド自在に上記ボトムケースに装着される電池蓋とを有し、上記トップケースに設けられて上記ボトムケースに具備された孔部に対して相対的に嵌脱可能な鍔形頭部を有する連結杆と、ボトムケースの上記孔部に嵌挿された上記連結杆の鍔形頭部とボトムケースとの間に介在されてボトムケースとトップケースとの合わせ状態を保持するスペーサと、上記トップケース及び上記ボトムケースの端部同士を位置決めしてそれらの合わせ状態を離脱可能に保持する係脱機構とを追加してあり、上記スペーサが上記電池蓋に連結されてその電池蓋に追従して前後方向スライド自在に構成され、その連結箇所に、上記電池出入口に対して電池蓋を開閉揺動させるためのヒンジ部が形成されていると共に、上記スペーサに、上記電池蓋が上記電池出入口に対する開方向にスライドされたときに上記連結杆の頭部に臨んでその頭部の通過を許す開口が具備され、上記係脱機構が、トップケース側に設けられた係止爪部と、ボトムケース側に設けられて上記係止爪部が係脱可能な被係止部とでなり、スペーサ及びボトムケースのうちの一方側に設けられた凸部と、それらのうちの他方側に設けられて上記凸部が落ち込むことによりクリック感を生じさせる凹部とでなる感触機構を有し、その感触機構は、上記電池蓋が上記電池出入口を閉じる位置にスライドされたとき、及び、上記スペーサの開口が上記連結杆の頭部に臨んだときに作動するように構成され、上記ボトムケースに、上記連結杆の鍔形頭部と上記スペーサとを覆って外部から見えなくし、かつ、オペレータがそれらの鍔形頭部とスペーサとに触れることを防ぐカバー部が備わっている、という構成を採用することによっていっそう具体化される。この発明の作用などについては、後述する実施形態を参照して詳細に説明する。
【発明の効果】
【００１５】
本発明によれば、ビス止め構造や係合構造を採用することに代え、組立及び分解の両方の作業を止めビスを用いずに容易かつ迅速に行うことができるようになって、リモートコントローラの量産性が高まる。また、余分の止めビスを用いる必要がなく、しかも、部品点数が増加することもないので、部品点数の削減によるコストダウンを図りやすくなる。
【発明を実施するための最良の形態】
【００１６】
図１は本発明に係るリモートコンローラケース（以下、この項において「リモコンケース」という）１を採用したリモートコンローラの概略斜視図である。このリモコンケース１は、トップケース３とボトムケース４とを合わせることによって形成されたケース本体２と、ケース本体２の内部に区画形成された電池ボックス（図１において不図示）と、ボトムケース４に形成された電池出入口（図１において不図示）に対する開閉方向にスライド自在にボトムケース４に装着される電池蓋５とを有している。そして、ケース本体２の内部に収容された配線基板（不図示）の制御スイッチを操作するためのキートップ群１００がトップケース３に形成された孔部群から突出している。そして、キートップ群１００のいずれかのキートップを押圧することによって、上記電池ボックスに収容した電池を駆動電源として光制御信号が発信されるようになっている。
【００１７】
図２は電池蓋５が閉じられたリモコンケース１を一部省略して示した背面図、図３は図２のＩＩＩ−ＩＩＩ線断面図、図４は電池蓋５が開かれたリモコンケース１を一部省略して示した背面図、図５は図２のＩＶ−ＩＶ線断面図、図６は図２のＶＩ−ＶＩ線拡大断面図、図７は図２のＶＩＩ−ＶＩＩ線拡大断面図である。
【００１８】
図２〜図５に示したリモコンケース１において、電池ボックス６はケース本体２の後端側の内部空間によって形成されているのに対し、ボトムケース４には、その電池ボックス６に臨む電池出入口４３が形成されている。そして、電池蓋５をボトムケース４の後端部に具備されたガイドリブ４１に沿って前方（閉方向）にスライドさせることによってその電池出入口４３が閉じられるようになっている。
【００１９】
電池ボックス６の近傍箇所において、トップケース３にはボスでなる連結杆７が一体成形されていて、その連結杆７に備わっている径大な鍔形頭部７１が、ボトムケース４に具備された孔部４２に嵌脱可能となっている。そして、その鍔形頭部７１を孔部４２に嵌挿させてボトムケース４の裏側へ突き出させてあると共に、その鍔形頭部７１とボトムケース４との間に形成される隙間に板片状のスペーサ８を介在させることにより、ボトムケース４とトップケース３との合わせ状態ががたつきなく保持されている。また、トップケース３及びボトムケース４の前側の端部同士が係脱機構９により位置決めされてそれらの合わせ状態が離脱可能にがたつきなく保持されている。図６のように、この係脱機構９は、トップケース３の前端部に一体に設けられた係止爪部９１と、ボトムケース４の前端部に一体に設けられた段付状の被係止部９２とでなり、係止爪部９１を被係止部９２にその前側から図示のように係合させることによってトップケース３及びボトムケース４の前側の端部同士が位置決めされてそれらの合わせ状態ががたつきなく保持され、また、係止爪部９１を被係止部９２の前側又は下側へ離脱させることによって両者の合わせ状態を保持する機能が解除されるようになっている。この実施形態において、係合爪部９１を被係止部９２から離脱させる場合の手順としては、たとえばトップケース３の前端部付近を支点にしてそのトップケース３の後端側をボトムケース４から引き上げるという手順を採用することが可能である。
【００２０】
次に、上記スペーサ８は、前後に長い帯状の板片によって形成されていて、上記した連結杆７の軸部が嵌合された長孔状の幅狭開口８１と、この幅狭孔部８１に連続してその前部に形成された長孔状の幅広開口８２とを備え、幅広孔部８２は上記した連結杆７の鍔形頭部７１の通過を許す大きさを有している。また、このスペーサ８は、その後端部が上記電池蓋５の前端部に一体に連結されていて、その連結箇所に薄肉のヒンジ部８３が成形されている。そのため、電池蓋５を閉方向にスライドさせて電池出入口４３を閉じたり、電池蓋５を開方向にスライドさせて電池出入口４３を開いたりすると、その電池蓋５に追従してスペーサ８が前後方向にスライドする。しかも、図２及び図３のように電池蓋５で電池出入口４３を閉じたときには、スペーサ８の幅狭開口８１が連結杆７の軸部に嵌合すると共に、そのスペーサ８が連結杆７の鍔形頭部７１とボトムケース４との間に挟まった状態を保つのに対し、図４及び図５のように電池蓋５を開方向にスライドさせて電池出入口４３を開いたときには、スペーサ８の幅広開口８２が上記鍔形頭部７１に臨むようになっている。
【００２１】
以上の構成を備えるリモコンケース１において、組立作業は次の手順を経て行われる。すなわち、係脱機構９の係止爪部９１をその被係止部９２に係合させてトップケース３及びボトムケース４の前側の端部同士を位置決めすることと併せて、それら両ケース３，４を合わせる共に、連結杆７の鍔形頭部７１をボトムケース５側の孔部４２に嵌挿させることを行った後、スペーサ８の幅広開口８２を図４又は図５のように上記鍔形孔部７１に嵌合し、その状態から電池蓋５をガイドリブ４１に沿って閉方向にスライドさせて電池出入口４３を閉じると共に、スペーサ８の幅狭開口８１を連結杆７の軸部に嵌合させる。このようにすると、スペーサ８が上記鍔形頭部７１とボトムケース４との間に介在される結果、トップケース３とボトムケース４との合わせ状態がスペーサ８によって保たれる。したがって、トップケース３とボトムケース４との合わせ状態が上記した係脱機構９とスペーサ８とにより強固に保たれて、電池蓋５の装着されたケース本体１が組み立てられる。
【００２２】
こうして組み立てれたリモコンケース１では、図３に仮想線で示したように、電池蓋５をヒンジ部８３を中心にして開方向に揺動させると電池出入口４３が開き、その電池ボックス６に対して電池を出入れすることが可能になる反面、ヒンジ部８３を中心にして電池蓋５を閉方向に揺動させると電池出入口４３が閉じられる。この操作は電池交換時などに行われる。この実施形態では、電池出入口４３を電池蓋５で閉じたときに、電池蓋５が不慮に開くことを防ぐために、その電池蓋５をボトムケース４に対して位置決めしておくためのロック機構５１を設けてある。このロック機構５１は、図７に示したように、電池蓋５に被係合突起５２を具備させる一方、ボトムケース４側に係合突起５３を具備させ、ヒンジ部８３を中心にして電池蓋５を閉方向に揺動させて電池出入口４３を閉じたときに、係合突起５３が被係合突起５２に係合して電池蓋５の開方向の揺動を阻止するというものであって、電池蓋５を開くときには、電池蓋５を開方向に揺動させるという操作を通じて被係合突起５２に係合突起５３を乗り越えさせる。
【００２３】
リモコンケース１において、分解作業は次の手順を経て行われる。すなわち、図４矢印Ａのように電池蓋５を開方向にスライドさせてスペーサ８を同方向に後退させ、そうすることによってスペーサ８の幅広開口８２を連結杆７の鍔形頭部７１に臨ませた後、トップケース３の前端部付近を支点にしてそのトップケース３の後端側をボトムケース４から引き上げるという操作を行って、上記鍔形頭部７１をスペーサ８の幅広開口８２及びボトムケース４の孔部４２から引き抜く。併せて、係脱機構９の係止爪部９１を被係止部９２から離脱させる。
【００２４】
この実施形態では、電池蓋５が電池出入口４３を閉じる位置にスライドされたとき、及び、スペーサ８の幅広開口８２が連結杆７の鍔形頭部７１に臨んだときに、そのことを作業者が感触で知ることのできる対策を講じてある。すなわち、感触機構２１，２２が、上記した２つの場合に作動するように構成してある。電池蓋５が電池出入口４３を閉じる位置にスライドされたときに作動する感触機構２１は、図２に示したように、スペーサ８の側端に具備させた凸部２５とボトムケース４側に具備させた凹部２６とにより形成されていて、スペーサ８がスライドして凸部２５が凹部２６に落ち込むことによりクリック感を生じるようになっている。また、スペーサ８の幅広開口８２が連結杆７の鍔形頭部７１に臨んだときに作動する感触機構２２は、図４に示したように、スペーサ８の側端に具備させた凸部２６とボトムケース４側に具備させた上記凹部２６とにより形成されていて、スペーサ８がスライドして凸部２７が凹部２６に落ち込むことによりクリック感を生じるようになっている。このような感触機構２１を設けておけば、電池交換や分解時の作業性が向上する。
【００２５】
なお、図２〜図５において、５４は電池蓋５に設けられた滑り止め部を示している。
【００２６】
図８は他の実施形態に係るリモコンケース１を一部省略して示した背面図、図９は図８のＩＸ−ＩＸ線断面図、図１０は電池蓋５が開かれたリモコンケース１を一部省略して示した縦断側面図である。
【００２７】
この実施形態では、ボトムケース４に、連結杆７の鍔形頭部７１とスペーサ８とを覆って外部から見えなくし、かつ、オペレータがそれらの鍔形頭部７１とスペーサ８とに触れることを防ぐカバー部１０を一体に形成してある点だけが、図１〜図６を参照して説明した上記の実施形態と異なっているだけであり、その他の事項は同実施形態の同様である。したがって、説明を簡略にするため、同一部分に同一符号を付すことによって詳細説明を省略する。この実施形態においても、図８又は図９のように、トップケース３とボトムケース４とが、スペーサ８による合わせ状態を保つ作用と、係脱機構９による合わせ状態を保つ作用ととにより強固に結合されている。また、分解は、図１０のように電池蓋５を開方向にスライドさせることによって行われる。
【００２８】
特に、この実施形態では、カバー部１０を設けることによって、連結杆７の鍔形頭部７１とスペーサ８とを外部から見えなくしてあるために、上記した感触機構２１，２２を設けておくことが組立や分解の際に有益である。
【００２９】
本発明において、係脱機構９は、係止爪部をボトムケース側に具備させ、被係止部をトップケース側に具備させることも可能である。また、感触機構２１，２２においては、凸部をボトムケース側に具備させ、凹部をスペーサ側に具備させることも可能である。さらに、上記実施形態で説明した感触機構２１によっては、電池蓋５を十分に強固に閉位置に位置決めすることができないために、不慮に電池蓋５が開方向にスライドしてケース本体２が分解されてしまうというようなおそれがある場合には、その感触機構２１の凹部と凸部との係合幅を増大させて電池蓋５の不慮のスライドを阻止させるという対策を講じることが有効であるほか、電池蓋５とボトムケース４とを強固に結合するための係合機構を別途設けることも有効である。
【図面の簡単な説明】
【００３０】
【図１】本発明に係るリモコンケースを採用したリモートコンローラの概略斜視図である。
【図２】電池蓋５が閉じられたリモコンケースを一部省略して示した背面図である。
【図３】図２のＩＩＩ−ＩＩＩ線断面図である。
【図４】電池蓋が開かれたリモコンケースを一部省略して示した背面図である。
【図５】図２のＩＶ−ＩＶ線断面図である。
【図６】図２のＶＩ−ＶＩ線拡大断面図である。
【図７】図２のＶＩＩ−ＶＩＩ線拡大断面図である。
【図８】他の実施形態に係るリモコンケースを一部省略して示した背面図である。
【図９】図８のＩＸ−ＩＸ線断面図である。
【図１０】電池蓋が開かれたリモコンケースを一部省略して示した縦断側面図である。
【符号の説明】
【００３１】
１  リモコンケース（リモートコンローラケース）
２  ケース本体
３  トップケース
４  ボトムケース
５  電池蓋
６  電池ボックス
７  連結杆
８  スペーサ
９  係脱機構
１０  カバー部
２１，２２  感触機構
２５，２７  凸部
２６  凹部
４２  孔部
４３  電池出入口
７１  鍔形頭部
８３  ヒンジ部
８２  幅広開口（開口）
９１  係止爪部
９２  被係止部
【図１】
2007129393.tif 000003
【図２】
2007129393.tif 000004
【図３】
2007129393.tif 000005
【図４】
2007129393.tif 000006
【図５】
2007129393.tif 000007
【図６】
2007129393.tif 000008
【図７】
2007129393.tif 000009
【図８】
2007129393.tif 000010
【図９】
2007129393.tif 000011
【図１０】
2007129393.tif 000012